(57)【要約】【課題】椅子状に姿勢変更可能なベッドにおいて使用するサイドレールであって、側方からも離床できるよう構成するとともに、前方へ立ち上がる際にも把持しやすい位置に把持部を位置させることができるサイドレールを提供すること。【解決手段】ベッドの床部が平坦な状態と椅子状の状態とに姿勢変更可能なベッドに使用するサイドレールにおいて、このサイドレールは少なくとも床部と略々同一平面をなす格納状態と、ベッドからの落下等を防止する立設状態とに設定可能に構成するとともに、立設状態にあるときに少なくとも使用者がベッドから立ち上がる際に把持する部分がサイドレール取付幅よりも狭くなるように構成した。【選択図】図１
2006296611.tif 000002
【特許請求の範囲】
【請求項１】
ベッドの床部が平坦な状態と椅子状の状態とに姿勢変更可能なベッドに使用するサイドレールにおいて、このサイドレールは少なくとも床部と略々同一平面をなす格納状態と、ベッドからの落下等を防止する立設状態とに設定可能に構成するとともに、立設状態にあるときに少なくとも使用者がベッドから立ち上がる際に把持する部分がサイドレール取付幅よりも狭くなっていることを特徴とするサイドレール。
【請求項２】
立位状態から格納状態へサイドレールを操作する際に、立設状態を保持するロック機構と指等のはさみ込みを防止するロック機構の二つのロック機構を解除するように構成したことを特徴とする請求項１に記載のサイドレール。
【請求項３】
請求項２に記載の二つのロック機構を、一つのレバーを操作することによって解除可能に構成したことを特徴とする請求項２に記載のサイドレール。
【発明の詳細な説明】
【技術分野】
【０００１】
本発明は、ベッドの側部に取り付けて使用するサイドレールに関するものである。
【背景技術】
【０００２】
従来、介護用ベッドとしては床部が３分割されており、それぞれが起伏可能に構成されており、様々な体位で療養できるようになったものが一般的である。
しかし、この種のベッドでは、ベッドからの離床する際に身体の向きを換え、ベッドの側方から立ち上がらなければならず、向きを換えることが困難な方にとっては必ずしも快適なものとはいえないものであった。
【０００３】
そこで、仰臥した状態から椅子に腰掛けた状態に姿勢変更可能なベッドが提案されている。（特許文献１参照）
このベッドであれば、ベッド上で向きを換えることなくそのままの状態（腰掛状態）からベッドの前方へ立ち上がればよく、非常に快適なものとなっている。
【０００４】
この種のベッドには一般的にベッドフレームにサイドレールを差し込んで使用するものである。しかしながら、従来のサイドレールはベッドのサイドフレーム上に位置するように構成されており、このようなものを使用した場合にはベッド幅と略々同じ幅となる把持部を持って立ち上がらなければならず力が入りにくく、使用上好ましくない。（特許文献２参照）
【０００５】
【特許文献１】特開２００４−２９８３７２号公報
【特許文献２】特開２０００−１６６７０３号公報
【発明の開示】
【発明が解決しようとする課題】
【０００６】
解決しようとする問題点は、椅子状に姿勢変更可能なベッドにおいて使用するサイドレールであって、側方からも離床できるよう構成するとともに、前方へ立ち上がる際にも把持しやすい位置に把持部を位置させることができるサイドレールを提供することである。
【課題を解決するための手段】
【０００７】
請求項１の発明は、ベッドの床部が平坦な状態と椅子状の状態とに姿勢変更可能なベッドに使用するサイドレールにおいて、このサイドレールは少なくとも床部と略々同一平面をなす格納状態と、ベッドからの落下等を防止する立設状態とに設定可能に構成するとともに、立設状態にあるときに少なくとも使用者がベッドから立ち上がる際に把持する部分がサイドレール取付幅よりも狭くなっていることを最も主要な特徴とする。
請求項２の発明は、立位状態から格納状態へサイドレールを操作する際に、二つのロック機構を操作するように構成したことを最も主要な特徴とする。
請求項３の発明は、二つのロック機構を、一つのレバーを操作することによって解除可能に構成したことを最も主要な特徴とする。
【発明の効果】
【０００８】
本発明のサイドレールは、格納状態にあるときにベッドの床面と略々同一平面をなす状態となっている。そのため、ベッド側方からも離床することができる。また、このサイドレールを立設した際には従来のサイドレールと同様に落下防止の効果があるとともに、少なくとも前方へ立ち上がる際には、左右のサイドレール間隔がサイドレール取付幅よりも狭くなっているので、力を入れ易く立ち上がりの際に有効に機能するようになっている。
請求項２の発明は、立設状態から格納状態へサイドレールを操作する際に、立設状態のロック解除とサイドレールとベッド間での挟み込み防止ロック解除の二つのロック機構を構成することで、より安全に使用することができる。
請求項３の発明は、二つのロック機構を一つのレバーで解除できるように構成されているので、操作上の煩わしさがない。また、誤操作を防止する効果もある。
【発明を実施するための最良の形態】
【０００９】
ベッドの床部が平坦な状態と椅子状の状態とに姿勢変更可能なベッドに使用するサイドレールにおいて、このサイドレールは少なくとも床部と略々同一平面をなす格納状態と、ベッドからの落下等を防止する立設状態とに設定可能に構成するとともに、立設状態にあるときに少なくとも使用者がベッドから立ち上がる際に把持する部分がサイドレール取付幅よりも狭くなるように構成するとともに、立位状態から格納状態へサイドレールを操作する際に、二つのロック機構を一つのレバーで解除できるように構成する。
【実施例１】
【００１０】
本発明にかかるサイドレールの一実施例を図面に基づいて説明する。なお、このサイドレールは左右対称に構成されたものを一組として使用するものである。そのため、以下の説明では、片側のみについて説明する。
【００１１】
このサイドレール１は、主として取付部２と、一対のリンクアーム３，４と、手摺部５とからなる。
【００１２】
まず、取付部２について説明する。この取付部２は基部プレート６を備えている。この基部プレート６は、正面視において略々Ｌ字状に曲折されているものであって、下面側にはベッドＢのサイドフレームＢｆに具備されるサイドレール取付穴Ｈに挿通される支持軸７，７が固着されている。そして、基部プレート６の上面にはリンクアーム３，４の取付部となるブラケット８，８が固着されている。なお、後側のブラケット８は基部プレート６の長手方向に沿うように固着されており、前側のブラケット８は前方側が内側に向くように傾けた状態で固着されている。また、それぞれのブラケット８，８の前方側には手摺部５の受部材９，９が固着されて取付部２は構成されている。
【００１３】
次に、一対のリンクアーム３，４について説明する。前後のリンクアーム３，４は、それぞれリンクパイプ３ａ，４ａの両端部に軸受３ｂ，３ｂ，４ｂ，４ｂをそれぞれ固着したものである。なお、後側のリンクアーム３は片方の軸受３ｂを回転軸とした場合に同一平面内で円弧状の軌跡をとるように構成されている。また、前側のリンクアーム４は片方の軸受４ｂを回転軸とした場合に円錐状の曲面上に沿った軌跡を取るように構成されている。詳述すると、前側のリンクアーム４はそれぞれの軸受４ｂ，４ｂの軸心線が平行となるともに、それぞれの軸受４ｂ，４ｂの中心点を結ぶ線が前記軸心線と直交しない状態に配置され、これらの軸受４ｂ，４ｂを繋ぐようにリンクパイプ４ａが固着されてなるものである。
【００１４】
そして、手摺部５について説明する。この手摺部５は把持部となるメイン部材１０を有している。このメイン部材１０の下面側にはブラケット１１，１２が揺動自在となるように枢着されている。詳述すると、このブラケット１１，１２は下方向きに開口した正面視において略々コ字状のブラケットプレート１１ａ，１２ａを備えている。このブラケットプレート１１ａ，１２ａの上面に回転軸１１ｂ、１２ｂをそれぞれ固着している。なお、この回転軸１１ｂ，１２ｂの上側から雌ねじ部１１ｃ，１２ｃが設けられている。そして、メイン部材１０に固着されている段付軸受１３，１３にこの回転軸１１ｃ，１２ｃをそれぞれ挿通し、上側からネジ１４でブラケット１１，１２がそれぞれ揺動自在となるように取り付けられている。
【００１５】
上記のように構成された取付部２とリンクアーム３，４は、一方の軸受３ｂ，４ｂをそれぞれ取付部２のブラケット８，８に取り付けるとともに、他方の軸受３ｂ、４ｂを手摺部５のブラケット１１，１２に取り付けることによってサイドレール１となっている。
【００１６】
このように構成されたサイドレール１は、第７図及び第８図に示すようにベッドＢのサイドフレームＢｆに設けられた取付穴Ｈに挿通して使用される。なお、図示では省略しているが、支持軸下端部には空孔部が穿設されており、抜け止めのピンが挿通されるように構成されている。
このサイドレール１は、手摺部５を格納した状態では第７図に示すようにベッドＢのマットレスＭ上面から突出しない高さとなっている。そのため、通常のベッドＢを使用するようにマットレスＭ上で身体の向きを換え、ベッドＢの側方に降り立つこともできる。
【００１７】
そして、この状態から手摺部５を前方上部へ持ち上げるように動かせると、後側のリンクアーム３は同一平面内で円弧状の軌跡に沿った動きをする。また、前側のリンクアーム４は下側の軸受４ｂが頂点となる円錐の曲面に沿った軌跡となる動きをする。したがって、格納状態では取付部２に対して略々平行な状態にあった手摺部５が、前後のリンクアーム３，４の動作によって徐々に手摺部５前方側がベッドＢの内側に接近してくる動きとなっている。なお、このときに前後のリンクアーム３，４の上側軸受３ｂ，４ｂはブラケット１１，１２を僅かにねじるように動作する。このために上側のブラケット１１，１２は上述したように揺動自在にメイン部材１０に取り付けられている。なお、本実施例では手摺部５側のブラケット１１，１２を揺動自在となるように構成しているが、取付部側のブラケット８，８を揺動自在となるように構成しても何ら問題はない。
このように手摺部５を操作してサイドレール１を立設状態とすると、第８図に示すようにサイドレール１の手摺部５前方側が内側に接近した状態、すなわちベッドＢの使用者から見て略々ハ字状になっている。この状態ではベッドＢの使用者のより近い位置に把持部が位置しているので、従来のサイドレールのように離れた位置にあるサイドレールの把持部を持って立ち上がることに比べて力が入れ易く楽に立ち上がることができるという効果がある。
【実施例２】
【００１８】
次に、実施例１のサイドレール１をより安全に使用するためにロック機構１５，１６を設けたものについて説明する。
このロック機構１５，１６は、サイドレール１を立設状態とした際にその状態を保持するためのロック機構１５と、手摺部５を格納する際にベッドフレームＢｆやリンクアーム３，４等で指等を挟み込まないようにするためのロック機構１６とからなる。
【００１９】
まず、立設状態を保持するロック機構１５について説明する。
このロック機構１５は、手摺部５側に具備されたピン１７が前側のリンクアーム４の上側の軸受４ｃに設けた空孔部４ｄに自動的に挿通され、その状態を保持するものである。詳述すると、手摺部５の前側ブラケット１２には筒状部材１８が固着されている。この筒状部材１８は後部が塞がっており、前方側からスプリング１９とピン１７を挿通している。なお、筒状部材１８の外周部には前後方向に長穴１８ａが設けられており、この長穴１８ａからピン１７にネジ部材２０を螺着している。このネジ部材２０がピン１７の抜け止めとなるとともに、ネジ部材２０が長穴１８ａ内を移動する範囲内でピン１７が作動するように構成されたものである。なお、前記スプリング１９はピン１７を前方へ押し出すように付勢しており、長穴１８ａに沿ってネジ部材２０を後方へ引くとピン１７が筒状部材１８内へ引き込まれるようになっている。
次に前側リンクアーム４の上側の軸受４ｃには鍔部４ｅが一体的に構成されている。この鍔部４ｅには前記ピン１７が挿通可能となる空孔部４ｄが穿たれている。なお、この鍔部４ｅはピン１７が空孔部４ｄに挿通した状態でブラケット１２と接触するように輪郭を形成してもよい。こうすることによって、ピン１７に余計な負荷をかけないようにすることもできる。
【００２０】
次に、前記ピン１７を空孔部４ｄから抜きロック解除が容易に行えるように取り付けられているレバー２１について説明する。このレバー２１はメイン部材１０を迂回するコ字状に構成されており、メイン部材１０下面に固着された取付プレート２２，２２にネジ止めされている。そして、レバー２１の下方前方部にはネジ部材２３が取り付けられている。
【００２１】
このように構成されたロック機構１５は、手摺部５を格納した状態から立設状態とすると、自動的に軸受４ｃの鍔部４ｅに設けた空孔部４ｄにピン１７が挿通され、その状態を保持する。
逆に、格納する場合には、レバー２１を引き上げると下端部にあるネジ部材２３がピン１７側のネジ部材２０を後方へ移動させ、前記空孔部４ｄからピン１７が抜ける。この状態になると、手摺部５が後方へ回動可能となっているので後方に回動し格納すればよい。
【００２２】
次に、手摺部５を格納する際にベッドフレームＢｆ等で指等を挟まないように設けられたロック機構１６について説明する。
このロック機構１６は、上記のロック機構１５に並設するように設けられている。
まず、メイン部材１０の下面には取付プレート２４，２４が固着されており、この取付プレート２４，２４には支持プレート２５が回動自在な状態で止着されている。そして、この支持プレート２５と前記レバー２１に取り付けられているネジ部材２３には作動プレート２６が止着されている。
【００２３】
上記のように構成されたロック機構１５，１６の作用について説明する。
まず、格納状態にある手摺部５を前方に引き上げる。このとき、前側のリンクアーム４の上側の軸受４ｃが手摺部５のブラケット１２に対して相対的に回動している。そして、ピン１７は相対的に鍔部４ｅの輪郭に沿って空孔部４ｄに向かって移動しており、手摺部５が立設状態となるとスプリング１９に付勢されたピン１７が空孔部４ｄに挿通される。この状態でブラケット１２に対してリンクアーム４の回動が拘束された状態となり、安全に使用できるようになっている。（第６図（ａ）参照）
次に、立設状態にある手摺部５を格納するには、レバー２１を上方に引き上げることにより、ネジ部材２３がネジ部材２０を後方に移動させ、ピン１７を空孔部４ｄから抜き出す。この状態で、ブラケット１２とリンクアーム４との拘束が解除され、回動自在な状態となる。また、レバー２１を引き上げると、作動プレート２６が後方に押し出され、支持プレート２５が下方回動する。この状態のまま手摺部５を下げると、支持プレートが基部プレート６に接触した状態となる。このとき、前後のリンクアームと基部プレート及び手摺部、ベッドのサイドフレーム等の間に適当な間隔ができており、指等をはさみこまないようになっている。（第６図（ｂ）参照）
最後に、手摺部５を格納するには、レバー２１を後方に回動させて手摺部上面に沿った状態とすればよい。レバー２１を後方回動すると作動プレート２６が前方に引き出され、支持プレート２５を上方回動させるように構成されている。
【００２４】
このように、立設状態でのロック機構１５と指等のはさみ込み防止のロック機構１６とが設けられているので、安全に使用することができる。
また、これらのロック機構１５，１６は一つのレバー操作によってロック解除できるように構成されているので操作上の煩わしさがない。
【図面の簡単な説明】
【００２５】
【図１】サイドレール本体を示す全体斜視図  （ａ）格納状態  （ｂ）立設状態
【図２】取付部とリンクアームを示す平面図
【図３】手摺部のブラケット取付状態を示す説明図  （ａ）下面図  （ｂ）側断面図
【図４】ロック機構を示す要部下面図
【図５】ロック機構を示す要部側断面図
【図６】ロック機構説明図  （ａ）立設状態  （ｂ）挟み込み防止状態  （ｃ）格納状態
【図７】使用状態説明図（格納状態）  （ａ）平面図  （ｂ）側面図
【図８】使用状態説明図（立設状態）  （ａ）平面図  （ｂ）側面図
【符号の説明】
【００２６】
１    サイドレール
２    取付部
３    リンクアーム
４    リンクアーム
５    手摺部
１５  ロック機構
１６  ロック機構
Ｂ    ベッド
Ｂｆ  サイドフレーム
Ｈ    サイドレール取付孔
【図１】
2006296611.tif 000003
【図２】
2006296611.tif 000004
【図３】
2006296611.tif 000005
【図４】
2006296611.tif 000006
【図５】
2006296611.tif 000007
【図６】
2006296611.tif 000008
【図７】
2006296611.tif 000009
【図８】
2006296611.tif 000010